(57)【要約】【課題】出射光輝度の低下を生じることなく、消費電力の低減化を図ることができるようにする。【解決手段】面光源装置２は、第１導光板４の裏面５のスペース１５内に第２導光板６を収容し、第２導光板６の裏面１１の光源収容凹所１７に蛍光ランプ１２を収容している。このうち、第１導光板４は、対向する両側面８ａ，８ｂ側にそれぞれ蛍光ランプ１０，１０が配置され、これら蛍光ランプ１０，１０からの光を両側面８ａ，８ｂから採り入れた後、出射面１３から面状の照明光として出射する。第２導光板６は、面状の照明光を出射する出射面１６と反対側の裏面１１から蛍光ランプ１２の光を採り入れた後に、出射面１６から第１導光板４側に出射する。【選択図】　　　　図２
2004055327.tif 000002
【特許請求の範囲】
【請求項１】
対向する両側面側にそれぞれ第１光源が配置され、これら第１光源からの光を前記両側面から採り入れた後、出射面から面状の照明光として出射する第１導光板と、
面状の照明光を出射する出射面と反対側の裏面側に第２光源が配置され、この第２光源からの光を前記裏面から採り入れた後に、前記出射面から前記第１導光板側に出射する第２導光板と、を備え、
前記第１導光板の出射面と反対側の裏面に導光板係合凹所が形成され、この導光板係合凹所に前記第２導光板が収容され、
前記第２導光板の前記裏面に光源収容凹所が形成され、この光源収容凹所に前記第２光源が収容されたことを特徴とする面光源装置。
【請求項２】
前記請求項１に係る面光源装置と、この面光源装置によって照明される被照明部材と、を備えたことを特徴とする画像表示装置。
【請求項３】
対向する両側面側にそれぞれ第１光源が配置され、これら第１光源からの光を前記両側面から採り入れた後、出射面から面状の照明光として出射する第１導光板と、
面状の照明光を出射する出射面と反対側の裏面側に第２光源が配置され、この第２光源からの光を前記裏面から採り入れた後に、前記出射面から前記第１導光板側に出射する第２導光板と、を備え、
前記第１導光板の出射面と反対側の裏面に導光板係合凹所が形成され、
前記第２導光板の裏面に前記第２光源を収容する光源収容凹所が形成され、
前記第１導光板の前記導光板係合凹所に前記第２導光板を収容してなることを特徴とする導光板組立体。
【発明の詳細な説明】
【０００１】
【発明の属する技術分野】
この発明は、液晶カラーテレビや液晶モニタ等の液晶表示パネル（被照明部材）を面状に照明するバックライト等として使用される面光源装置及びこの面光源装置を備えた画像表示装置に関するものであり、また、これら面光源装置及び画像表示装置に使用される導光板組立体に関するものである。
【０００２】
【従来の技術】
（第１従来例）
例えば、携帯電話や携帯型液晶カラーテレビ等の可搬性を要求される小型化された画像表示装置に比較して、持ち歩くことを前提としていない表示画面が大きな液晶カラーテレビや各種液晶モニタ等の画像表示装置は、図１６に示すように、拡散板５０の背面（図中下面）側に複数の蛍光ランプ５１を平行に配置し、その蛍光ランプ５１の光を拡散板５０の出射面５２から面状に出射して、液晶表示パネル等の被照明部材５３を照明するようにした面光源装置５４を備えている。しかしながら、このような面光源装置５４は、出射光の均一化を図る必要から、蛍光ランプ５１から拡散板５０までの距離を大きくとらなければならず、装置の厚み（Ｔ１）が大きくなる傾向にあり、全体重量が重かった。そのため、このような面光源装置５４を備えた画像表示装置５５は、例えば、室内等の比較的限られた空間内を持ち運ぼうとしても容易ではなく、近年のライフスタイルの多様化に充分対応することができなかった。
【０００３】
（第２従来例）
また、このような比較的大型の画像表示装置に使用される面光源装置として、図１７に示すような面光源装置５６が知られている。この面光源装置５６は、導光板５７の対向する両側面（両入射面）８ａ，８ｂ側にそれぞれ複数の蛍光ランプ１０を配置し、これら複数の蛍光ランプ１０からの光を導光板５７の両入射面８ａ，８ｂから導光板５７の内部に入射させた後、導光板５７の内部を伝播する光を導光板５７の出射面５８から面状に出射させるようにしたものであり、装置の厚み（Ｔ２）が第１従来例の装置の厚み（Ｔ１）よりも小さくなっている（Ｔ１＞Ｔ２）。その結果、第２従来例の面光源装置５６を使用した画像表示装置６０は、第１従来例の面光源装置５４を使用した画像表示装置５５よりも小型化（薄型化）・軽量化することができ、利用者による持ち運びが第１従来例の画像表示装置５５よりも容易化する。
【０００４】
（第３従来例）
また、図１８に示すような面光源装置６１は、導光板６２の両側面（両入射面）８ａ，８ｂ側にそれぞれ複数の蛍光ランプ１０を配置する構成において前記第２従来例と共通するが、導光板６２の裏面６３側の略中央部で板厚が最も薄くなるように、導光板６２の両入射面８ａ，８ｂから略中央部に向かうに従って板厚を漸減させている。これにより、図１８に示す面光源装置６１は、導光板６２の内部を伝播する光が第２従来例の面光源装置５６よりも出射し易くなっており、第２従来例の面光源装置５６よりも出射光輝度を高めることができるようになっている。すなわち、この第３従来例の面光源装置５６を使用した画像表示装置６４は、第１従来例よりも小型化（薄型化）して軽量化することができ、しかも第２従来例よりも出射光輝度の高輝度化を図ることができるようになっている。
【０００５】
【発明が解決しようとする課題】
上述のように、第２従来例の面光源装置５６及び第３従来例の面光源装置６１は、第１従来例よりも小型化（薄型化）をすることができるが、近年の消費電力の低減化の要請に十分に応えることができなかった。
【０００６】
そこで、本発明は、出射光輝度の低下を生じることなく、消費電力の低減化を図ることができるようにすることを目的とする。
【０００７】
【課題を解決するための手段】
請求項１の発明に係る面光源装置は、第１導光板と第２導光板とを備えている。このうち、第１導光板は、対向する両側面側にそれぞれ第１光源が配置され、これら第１光源からの光を前記両側面から採り入れた後、出射面から面状の照明光として出射するようになっている。また、第２導光板は、面状の照明光を出射する出射面と反対側の裏面側に第２光源が配置され、この第２光源からの光を前記裏面から採り入れた後に、前記出射面から前記第１導光板側に出射するようになっている。そして、前記第１導光板の出射面と反対側の裏面に導光板係合凹所が形成され、この導光板係合凹所に前記第２導光板が収容されるようになっている。また、前記第２導光板の前記裏面に光源収容凹所が形成され、この光源収容凹所に前記第２光源が収容されるようになっている。
【０００８】
請求項２の発明に係る画像表示装置は、上記請求項１の発明に係る面光源装置と、この面光源装置によって照明される被照明部材と、を備えたことを特徴としている。
【０００９】
請求項３の発明に係る導光板組立体は、第１導光板と第２導光板を備えている。このうち、第１導光板は、対向する両側面側にそれぞれ第１光源が配置され、これら第１光源からの光を前記両側面から採り入れた後、出射面から面状の照明光として出射するようになっている。また、第２導光板は、面状の照明光を出射する出射面と反対側の裏面側に第２光源が配置され、この第２光源からの光を前記裏面から採り入れた後に、前記出射面から前記第１導光板側に出射するようになっている。そして、前記第１導光板の出射面と反対側の裏面には導光板係合凹所が形成されている。また、前記第２導光板の裏面には前記第２光源を収容する光源収容凹所が形成されている。そして、前記第１導光板の前記導光板係合凹所に前記第２導光板を収容して導光板組立体が構成される。
【００１０】
【発明の実施の形態】
以下、本発明の実施の形態を図面に基づき詳述する。
【００１１】
［第１の実施の形態］
図１〜図５は、本発明の実施の形態に係る画像表示装置１を示すものである。このうち、図１は、画像表示装置１の分解斜視図である。又、図２は、図１の画像表示装置１に使用される面光源装置２の外観斜視図である。又、図３は、図１の画像表示装置１の正面図である。又、図４は、面光源装置２を図３のＡ方向から見た図である。又、図５は、図３に示す面光源装置２の反射シート３を取り除いて示す面光源装置２の裏面図（図３のＢ方向から見た図）である。
【００１２】
（画像表示装置の概略構成）
これらの図において、画像表示装置１は、第１導光板４の裏面５側に第２導光板６を重ねて配置することにより導光板組立体７が構成され、この導光板組立体７を構成する第１導光板４の対向する一対の側面（入射面）８ａ，８ｂ側にそれぞれ第１光源としての棒状の蛍光ランプ１０，１０が配置され、第２導光板６の裏面１１側（図１における下面側）の中央部に第２光源としての棒状の蛍光ランプ１２が前記第１導光板４側の蛍光ランプ１０，１０と略平行に配置されている。そして、この画像表示装置１は、第１導光板４の出射面（図１における上面）１３に対向するように被照明部材としての液晶表示パネル１４が重ねて配置され、第２導光板６の裏面１１に対向するように反射シート３が配置されている。尚、上記第１導光板４と液晶表示パネル１４との間には、光制御部材としての拡散シートやプリズムシート等を必要に応じて適宜配置するようにしてもよい。また、上記蛍光ランプ１０，１０，１２、第１導光板４、第２導光板６が、液晶表示パネル１４を面状に照明する面光源装置２を構成する。
【００１３】
（導光板組立体）
導光板組立体７は、ＰＭＭＡ（ポリメタクリル酸メチル），ＰＣ（ポリカーボネート），シクロオレフィン系樹脂材料等の光透過性に優れた材料を使用して形成された第１導光板４と第２導光板６とからなっている。このうち、第１導光板４は、対向する一対の入射面８ａ，８ｂのうちの一方から他方へ向かうにしたがって板厚を漸減し、且つ、対向する一対の入射面８ａ，８ｂ間の略中央部で最も板厚が薄くなるように、裏面５が滑らかな円弧面に形成される一方、出射面１３が平坦な面に形成されている。すなわち、第１導光板４は、図３に示すように、左右方向の中央部ＣＬを境にして左右対称の形状になっており、各入射面８ａ，８ｂから中央部ＣＬに向かって板厚が漸減する断面形状であって、裏面５側が斜め上方へ向かって傾斜するようになっているため、内部を伝播する蛍光ランプ１０，１０からの光が裏面５で反射されやすくなり、光が出射面１３から効率的に出射される。また、第１導光板４は、裏面５を円弧面形状にすることにより、裏面５側を凹ませて、裏面５側に第２導光板６を収容するスペース（導光板係合凹所）１５が形成されている。
【００１４】
第２導光板６は、第１導光板４の裏面５側に重ね合わされるようになっており、その上面（出射面）１６側が第１導光板４の裏面５側に対応する形状であって、中央部ＣＬで最も板厚が厚くなるように湾曲形成されている。また、この第２導光板６は、第１導光板４に重ね合わされた場合に、その裏面（下面）１１側が第１導光板４の出射面１３に対して略平行になる平坦面になっている。すなわち、第１導光板４に第２導光板６を重ね合わせて導光板組立体７を構成すると、第１導光板４の出射面１３と第２導光板６の裏面１１とがほぼ平行になる。そして、この第２導光板６の裏面１１で、且つ、図３の左右方向略中央部には、蛍光ランプ１２を収容する光源収容凹所１７が形成されている。この第２導光板６の光源収容凹所１７は、第１導光板４の入射面８ａ，８ｂに沿う方向に延設されており、蛍光ランプ１２の光を効率的に第２導光板６内に入射させるために、断面形状が略半円形形状になるように形成されている。
【００１５】
ここで、本実施の形態の導光板組立体７は、第１導光板４の裏面５側に第２導光板６の出射面１６を重ね合わせるように組み合わせると、第１導光板４の裏面５側のスペース１５内に第２導光板６が収容され、第１導光板４の入射面８ａ，８ｂ側の板厚が導光板組立体７の厚さ寸法になる。したがって、本実施の形態の導光板組立体７は、面光源装置２の大型化を招くようなことがない。
【００１６】
（反射シート）
反射シート３は、白色ＰＥＴ（ポリエチレンテレフタレート）等の光反射性に優れた材料で形成されており、第２導光板６の裏面１１とほぼ同様の大きさの矩形形状に形成されている。この反射シート３は、第２導光板６の裏面１１から出射した光を拡散・反射して第２導光板６の内部に戻し、蛍光ランプ１０，１０，１２からの光の有効利用を可能にする。
【００１７】
（ランプリフレクター）
ランプリフレクター１８，１８は、白色ＰＥＴ等の光反射性に優れた樹脂材料か、又はステンレス鋼板やアルミニウム板等の光反射性に優れた金属材料で形成され、その上端縁が導光板組立体７を構成する第１導光板４の出射面１３の端縁に係合され、その下端縁が反射シート３の下面側端縁に係合されており、蛍光ランプ１０，１０からの光を第１導光板４の入射面８ａ，８ｂへ案内するようになっている。
【００１８】
（本実施の形態の作用・効果）
以上のように構成された本実施の形態の画像表示装置１において、蛍光ランプ１２から発せられた光は、第２導光板６の光源収容凹所１７の表面から第２導光板６の内部に入射した後、第２導光板６の内部を伝播し、この第２導光板６の内部を伝播する過程で上面（出射面）１６に対する入射角が臨界角以下になった光が第２導光板６の出射面１６から出射し、第１導光板４の裏面５側から第１導光板４の内部に入射する。また、蛍光ランプ１０，１０から発せられた光は、直接又はランプリフレクター１８，１８で反射された後に第１導光板４の入射面８ａ，８ｂから第１導光板４の内部に入射し、第２導光板６を介して入射した蛍光ランプ１２からの光と共に第１導光板４の内部を伝播する。そして、第１導光板４の内部を伝播する光のうちで、第１導光板４の出射面１３に対する入射角が臨界角以下になった光が第１導光板４の出射面１３から第１導光板４の外部に出射する。そして、第１導光板４の出射面１３から出射した光が被照明部材としての液晶表示パネル１４を面状に照明する。
【００１９】
ここで、第２導光板６は、出射面１６に対向する裏面１１から蛍光ランプ１２の光を採り込むようになっているため、導光板の側面から光を採り入れる態様に比較し、蛍光ランプ１２からの光の利用効率（出射効率）が高い。したがって、第１導光板４に第２導光板６を組み合わせてなる導光板組立体７を使用した面光源装置は、少ない光源（蛍光ランプ１０，１０，１２）で第２〜第３従来例と同様の輝度の均一な照明光を出射することができ、第２〜第３従来例よりも消費電力が少なくなる。すなわち、本実施の形態の画像表示装置１に使用される面光源装置２は、第１導光板４の一対の入射面８ａ，８ｂに対向するようにそれぞれ一本の蛍光ランプ１０，１０を配置し、第２導光板６の裏面１１側の幅方向中央部ＣＬに一本の蛍光ランプ１２を配置し、これら三本の蛍光ランプ１０，１０，１２からの光を効率的に第１導光板４の出射面１３から出射させて高輝度の面照明を可能にしている。従って、図１７及び図１８に示すような、対向する一対の入射面８ａ，８ｂにそれぞれ複数本の蛍光ランプ１０を配置する第２〜第３従来例に比較して消費電力が少なくなる。
【００２０】
以上のように、本実施の形態の画像表示装置１に使用される面光源装置２は、蛍光ランプ１０が複数本並べて配置されないため、隣接する蛍光ランプ１０，１０によって吸収される光がなくなり、蛍光ランプ１０の光の利用効率を向上させることができる。しかも、第１導光板４側に配置される一対の蛍光ランプ１０，１０の光が到達し難い部分である第１導光板４の略中央部近傍の出射光の輝度を、第２導光板６の裏面１１側の幅方向中央部ＣＬに配置される蛍光ランプ１２からの光で補うことができると共に、第１導光板４の裏面５側を第２導光板６からの出射光で直接照明することができるため、第１導光板４からの出射光効率が図１７及び図１８に示した従来例よりも向上する。従って、本実施の形態の面光源装置２によれば、蛍光ランプ１０の本数を少なくし、消費電力を少なくしても、図１７及び図１８に示す従来例に比較しても遜色のない明るさの照明光で照明することが可能になる。
【００２１】
また、本実施の形態の画像表示装置１に使用される面光源装置２は、第２導光板６が第１導光板４の裏面５側に収容されるようになっているため、導光板組立体７の厚さ寸法が第１導光板４の入射面８ａ，８ｂ側の板厚寸法となり、面光源装置２の大型化を招くことがない。従って、本実施の形態の面光源装置２は、図１６に示す第１従来例に比較して小型化・軽量化を図ることが可能になる。
【００２２】
［第２の実施の形態］
図６は、本発明の第２の実施の形態に係る画像表示装置１に使用される面光源装置２を示すものである。すなわち、図６に示す本実施の形態の面光源装置２は、第１導光板４を板厚が最も薄くなる中央部で左右に二分割（第１の分割片４ａと第２の分割片４ｂに二分割）した構成を示すものである。
【００２３】
このような構成の本実施の形態によれば、第１導光板４が中央部を境にして左右対称の形状であるため、分割された第１導光板４の一方の分割片（４ａ又は４ｂ）を形成する射出成形用の金型のみで第１導光板４の両分割片４ａ，４ｂを成形できる。従って、本実施の形態によれば、第１の実施の形態と同様の効果を奏し得ることはもちろんのこと、金型費用を低廉化することができ、製品価格の低廉化を図ることができる。尚、本実施の形態の面光源装置２は、第１導光板４の出射面１３側に拡散シート（図示せず）を配置し、第１導光板４からの出射光を拡散シートで拡散・透過することにより、第１導光板４の分割部を目立ち難くするのが好ましい。
【００２４】
［第３の実施の形態］
図７は、本発明の第３の実施の形態に係る画像表示装置１に使用される面光源装置２を示すものである。すなわち、図７に示す本実施の形態の面光源装置２は、第１導光板４の裏面５と第２導光板６の出射面１６との間に、第２導光板６からの出射光を拡散して第１導光板４側へ透過する拡散シート２０が配置されている。
【００２５】
このような構成の本実施の形態によれば、前記第１の実施の形態の面光源装置２と同様の効果を奏し得ることはもちろんのこと、第２導光板６から出射した光を拡散シート２０で拡散し、第２導光板６の裏面１１側の中央部に配置した蛍光ランプ１２が第１導光板４の出射面１３側から視認し難くすることができるため、第１導光板４の出射面１３から出射する照明光の輝度がより一層均一化し、より一層照明品質が向上する。
【００２６】
［第４の実施の形態］
本実施の形態は、前記第３の実施の形態の面光源装置２において、図８（ａ）の拡散シート２０の斜視図や、図８（ｂ）の平面的に展開した拡散シート２０の平面図に示すように、拡散シート２０の表面に光拡散パターン２１を形成し、第２導光板６からの出射光分布を調整する態様を示すものである（図７参照）。すなわち、拡散シート２０の表面に印刷で形成される光拡散パターン２１が、蛍光ランプ１２の直上で最も形成密度が密となり、蛍光ランプ１２の直上から離れるに従って形成密度が疎となるように形成されている。尚、本実施の形態においては、光拡散パターン２１の各構成要素２２が円形であり、その各構成要素２２の面積が大から小へ徐々に変化することにより、光拡散パターン２１の密度が蛍光ランプ１２の直上から離れるにしたがって密から疎にグラデーション化している（図７参照）。
【００２７】
このような構成の本実施の形態の面光源装置２によれば、第２導光板６側の蛍光ランプ１２が第１導光板４の出射面１３側から視認し難くなると共に、第２導光板６側から第１導光板４側へ向かう出射光分布を調整することにより、第１導光板４からの出射光分布を調整することができ、第１導光板４からの出射光の輝度をより一層均一化することができる（図７参照）。また、本実施の形態の面光源装置２によれば、前記第１の実施の形態の効果と同様の効果を奏し得ることはもちろんのことである。
【００２８】
尚、本実施の形態は、拡散シート２０の外表面に光拡散パターン２１を形成する態様を例示したが、拡散シート２０の内表面（外表面の反対側の面）に光拡散パターン２１を形成するようにしてもよい。
【００２９】
［第５の実施の形態］
本実施の形態は、前記第１の実施の形態に係る面光源装置２において（図１〜図３参照）、図９に示すように、第２導光板６の出射面１６に図８（ｂ）で示した光拡散パターン２１を形成したものであり、第４の実施の形態の拡散シート２０を省略したものである。すなわち、図９に示すように、第２導光板６の出射面１６に形成した光拡散パターン２１は、蛍光ランプ１２の直上から離れるに従って形成密度が密から疎になるように形成されている。その結果、本実施の形態の面光源装置２は、前記第４の実施の形態の効果と同様の効果を得ることができる。しかも、本実施の形態の面光源装置２は、第２導光板６と第１導光板４の間に配置される拡散シート２０が不要になるため、前記第４の実施の形態の面光源装置２に比較し、部品点数を削減でき、製品価格の低廉化を図ることができる。
【００３０】
尚、図９は、第２導光板６の出射面１６に光拡散パターン２１を形成する態様を例示したが、光拡散パターン２１を第１導光板４の裏面５側に形成するようにしてもよく、また、第２導光板６と第１導光板４の対向する両面５，１６に光拡散パターン２１を形成するようにしてもよい。さらに、光拡散パターン２１を第２導光板６の光源収容凹所１７の内表面に形成するようにしてもよい（図１〜図３参照）。
【００３１】
［第６の実施の形態］
図１０は、本発明の第６の実施の形態に係る画像表示装置１に使用される面光源装置２を示すものである。この図１０に示す面光源装置２は、第２導光板６の出射面１６と第１導光板４の裏面５、すなわち、第２導光板６と第１導光板４の重ね合わせられる両面１６，５を梨地面等の粗面２３とし、第２導光板６から出射する光及び第１導光板４に入射する光を拡散し、第２導光板６側の蛍光ランプ１２が第１導光板４の出射面１３側から視認されないようにすると共に、第１導光板４からの出射光の輝度の均一化を図るようにしたものである。ここで、第２導光板６の出射面１６と第１導光板４の裏面５の粗面化の手法は、従来公知の手法が採用され、例えば、荒らした金型表面を射出成型時に転写したり、ブラスト処理やエッチング等で第１及び第２導光板４，６を直接的に粗面化する手法が採用される。
【００３２】
このような構成の本実施の形態の面光源装置２によれば、前記第５の実施の形態と同様の効果を得ることができる。
【００３３】
尚、本実施の形態の面光源装置２は、第２導光板６の出射面１６と第１導光板４の裏面５の両面１６，５に梨地面等の粗面２３を形成する態様を例示したが、第２導光板６の出射面１６と第１導光板４の裏面５のいずれか一方に形成するようにしてもよく、また、第２導光板６の光源収容凹所１７の内表面に梨地面等の粗面２３を形成するようにしてもよい（図１１参照）。
【００３４】
［第７の実施の形態］
図１２は、本発明の第７の実施の形態に係る画像表示装置１に使用される面光源装置２を示すものである。この図１２に示すように、本実施の形態の面光源装置２は、前記第１の実施の形態に係る面光源装置２において、第２導光板６の光源収容凹所１７の内側にランプ拡散シート２４を配置し、このランプ拡散シート２４で蛍光ランプ１２の光を拡散し、その拡散した光を第２導光板６に入射させるように構成されている。
【００３５】
このような構成の本実施の形態の面光源装置２は、前記第１の実施の形態の面光源装置２と同様の効果を奏し得ることはもちろんのこと、蛍光ランプ１２の光をランプ拡散シート２４で拡散した後に第２導光板６に入射させるようになっており、第２導光板６の裏面１１側の中央部に配置した蛍光ランプ１２が第１導光板４の出射面１３側から視認し難くすることができるため、第１導光板４の出射面１３から出射する照明光の輝度がより一層均一化し、より一層照明品質が向上する。尚、本実施の形態の面光源装置２は、第１導光板４と第２導光板６の重ね合わせ面５，１６に配置される拡散シート２０よりも小さなランプ拡散シート２４で蛍光ランプ１２の光を拡散するようになっているため、第３の実施の形態の面光源装置２よりも低廉化及び軽量化を図ることができる（図７及び図１２参照）。
【００３６】
（第７の実施の形態の第１変形例）
ここで、図１３に示すように、ランプ拡散シート２４の内側表面で且つ蛍光ランプ１２の直上近傍に、光を反射する反射部材（光反射シートや光反射性塗料等）２５を配置し、第２導光板６側に配置された蛍光ランプ１２からの光が真っ直ぐ上方へ抜けるのを防止し、第２導光板６側に配置された蛍光ランプ１２が第１導光板４の出射面１３側から視認され難くするようにしてもよい。このように構成すれば、第７の実施の形態と同様の効果を奏し得ることはもちろんのこと、第１導光板４からの出射される照明光がより一層均質化する。尚、反射部材２５は、ランプ拡散シート２４の外側表面で且つ蛍光ランプ１２の直上近傍に配置するようにしてもよい（図１２参照）。
【００３７】
（第７の実施の形態の第２変形例）
また、図１４に示すように、ランプ拡散シート２４の外表面に光拡散パターン２６を形成するようにしてもよい。ここで、光拡散パターン２６は、前記第４の実施の形態の拡散シート２０に形成された光拡散パターン２１と同様に（図８参照）、蛍光ランプ１２の直上で最も形成密度が密となり、蛍光ランプ１２の直上から離れるに従って形成密度が疎となるように形成されている。このように構成すれば、第２導光板６側の蛍光ランプ１２が第１導光板４の出射面１３側から視認し難くなると共に、第２導光板６に入射する蛍光ランプ１２からの光の分布を調整することにより、第１導光板４からの出射光分布を調整することができ、第１導光板４からの出射光の輝度をより一層均一化することができる。尚、本変形例は、ランプ拡散シート２４の外側表面に光拡散パターン２６を形成する態様を例示したが、ランプ拡散シート２４の内側表明に光拡散パターン２６を形成してもよく、また、第２導光板６の光源収容凹所１７の内表面に光拡散パターン２６を形成するようにしてもよい。
【００３８】
［第８の実施の形態］
図１５は、本発明の第８の実施の形態に係る画像表示装置１に使用される面光源装置２を示すものであり、反射シート３の表面に光吸収パターン２７を形成するようになっている。すなわち、反射シート３は、その第２導光板６の裏面１１に対向する面（図１５における上面）２８に光吸収パターン２７が形成されている。この光吸収パターン２７は、蛍光ランプ１２に対応する部分（蛍光ランプ１２の直下近傍）において最も形成密度が密であり、蛍光ランプ１２から離れるにしたがって形成密度が疎になっていくように形成されている。ここで、光吸収パターン２７は、光吸収性のインクを使用して形成された略円形の多数の光吸収要素３０からなっており、その面積を変化させることにより、形成密度をグラデーション化するようになっている。
【００３９】
［その他の実施の形態］
尚、上述の各実施の形態において、第１導光板の出射面側に透明の導電性樹脂で透明電極を印刷し、蛍光ランプから発せられる高周波ノイズを取り除くようにして、液晶表示パネルの高周波ノイズに起因する画像の乱れを防止し、液晶表示パネルの表示品質を向上することができる。
【００４０】
また、上述の各実施の形態において、第１導光板４と第２導光板６の少なくとも一方の内部に、第１導光板４や第２導光板６の屈折率と異なる屈折率の材料からなる微粒子を混入するようにしてもよい。
【００４１】
また、本発明は、蛍光ランプ１０，１２の代わりに発光ダイオード（ＬＥＤ）を複数並べ、この複数のＬＥＤを光源として使用するようにしてもよい。
【００４２】
【発明の効果】
以上のように、本発明は、第１導光板の裏面の導光板係合凹所に第２導光板を収容するようになっているため、面光源装置及びこの面光源装置を備えた画像表示装置の小型化・軽量化を図ることができる。また、本発明は、第１導光板の対向する両側面側から第１光源の光を採り入れるだけでなく、第２導光板の裏面から第２光源からの光を採り入れた後、第２導光板の出射面から出射される光を第１導光板の裏面側から採り入れるようになっており、第１光源及び第２光源の光の利用効率を向上するようになっているため、少ない光源で明るい面照明が可能になり、消費電力を低減することが可能になる。
【図面の簡単な説明】
【図１】本発明の第１の実施の形態に係る画像表示装置の分解斜視図である。
【図２】本発明の第１の実施の形態に係る面光源装置の外観斜視図である。
【図３】本発明の第１の実施の形態に係る面光源装置の正面図である。
【図４】図３のＡ方向から見た図であり、面光源装置の平面図である。
【図５】図３のＢ方向から見た図であり、反射シートを取り除いて示す面光源装置の裏面図である。
【図６】本発明の第２の実施の形態に係る面光源装置の外観斜視図である。
【図７】本発明の第３の実施の形態に係る面光源装置の正面図である。
【図８】図８（ａ）が本発明の第４の実施の形態に係る面光源装置の拡散シートの外観斜視図であり、図８（ｂ）が同拡散シートを展開して示す平面図である。
【図９】本発明の第５の実施の形態に係る面光源装置に使用される第２導光板の外観斜視図である。
【図１０】本発明の第６の実施の形態に係る面光源装置の正面図である。
【図１１】本発明の第６の実施の形態の変形例を示す面光源装置の正面図である。
【図１２】本発明の第７の実施の形態に係る面光源装置の正面図である。
【図１３】本発明の第７の実施の形態の第１変形例を示すランプ拡散シートの正面図である。
【図１４】本発明の第７の実施の形態の第２変形例を示すランプ拡散シートの外観斜視図である。
【図１５】本発明の第８の実施の形態に係る面光源装置を部分的に示す分解斜視図である。
【図１６】第１従来例に係る面光源装置の正面図である。
【図１７】第２従来例に係る面光源装置の正面図である。
【図１８】第３従来例に係る面光源装置の正面図である。
【符号の説明】
１……画像表示装置、２……面光源装置、４……第１導光板、５，１１……裏面、６……第２導光板、７……導光板組立体、８ａ，８ｂ……入射面（側面）、１０……蛍光ランプ（第１光源）、１２……蛍光ランプ（第２光源）、１３，１６……出射面、１４……液晶表示パネル（被照明部材）、１５……スペース（導光板収容凹所）、１７……光源収容凹所
【図１】
2004055327.tif 000003
【図２】
2004055327.tif 000004
【図３】
2004055327.tif 000005
【図４】
2004055327.tif 000006
【図５】
2004055327.tif 000007
【図６】
2004055327.tif 000008
【図７】
2004055327.tif 000009
【図８】
2004055327.tif 000010
【図９】
2004055327.tif 000011
【図１０】
2004055327.tif 000012
【図１１】
2004055327.tif 000013
【図１２】
2004055327.tif 000014
【図１３】
2004055327.tif 000015
【図１４】
2004055327.tif 000016
【図１５】
2004055327.tif 000017
【図１６】
2004055327.tif 000018
【図１７】
2004055327.tif 000019
【図１８】
2004055327.tif 000020